(57)【要約】【課題】  固定が可能で、かつ取り外しも容易な中継コネクタを提供する。【解決手段】  対向するハーネスの間にセットすることにより、対向するハーネス間の信号の受け渡しを行うコネクタ本体１と、コネクタ本体１の下部に設けられ、固定板７の穴７ａに着脱される弾性を有する係止手段４、５、６とを備えた。【選択図】  図１
2005093249.tif 000002
【特許請求の範囲】
【請求項１】
対向するハーネスの間にセットすることにより、対向するハーネス間の信号の受け渡しを行うコネクタ本体と、コネクタ本体の下部に設けられ、固定板の穴に着脱される弾性を有する係止手段とを備えたことを特徴とする中継コネクタ。
【請求項２】
請求項１記載の中継コネクタにおいて、コネクタ本体は、複数対のコネクタ嵌合部を有することを特徴とする中継コネクタ。
【請求項３】
請求項１記載の中継コネクタにおいて、コネクタ本体は、一端に複数のコネクタ嵌合部を有し、他端に１つのコネクタ嵌合部を有することを特徴とする中継コネクタ。
【発明の詳細な説明】
【技術分野】
【０００１】
本発明は、固定可能で取り外し容易な中継コネクタに関する。
【背景技術】
【０００２】
ハーネス間を接続する中継コネクタを固定して使用する時は、板金に中継コネクタが通れる程の穴を空け、中継コネクタを途中までその穴に通した時に中継コネクタ上の掛止爪部が板金にロックされて固定されるというパネルマウント方式が一般的に使用されている。
例えば、特許文献１には、簡単な構成で、被装着物にフラットハーネスを確実かつ効率よく装着することが可能なフラットハーネス用クリップが提案されている。
【特許文献１】特開２００２−０２７６４２公報
【発明の開示】
【発明が解決しようとする課題】
【０００３】
しかし、このパネルマウント方式では中継コネクタを固定して使用できる場所が限定されるという問題がある。またそれとは別に近年環境問題対策の一つとしてリサイクル対応性が重要なテーマとなっており、現状のものでは固定時に一度ロックすると容易に外すことができないため、リサイクルしにくいという問題もある。
本発明は、固定が可能で、かつ取り外しも容易な中継コネクタを提供することを目的とする。
【課題を解決するための手段】
【０００４】
上記目的を達成するために、請求項１記載の発明は、対向するハーネスの間にセットすることにより、対向するハーネス間の信号の受け渡しを行うコネクタ本体と、コネクタ本体の下部に設けられ、固定板の穴に着脱される弾性を有する係止手段とを備えた中継コネクタを最も主要な特徴とする。
請求項２記載の発明は、請求項１記載の中継コネクタにおいて、コネクタ本体は、複数対のコネクタ嵌合部を有する中継コネクタを主要な特徴とする。
請求項３記載の発明は、請求項１記載の中継コネクタにおいて、コネクタ本体は、一端に複数のコネクタ嵌合部を有し、他端に１つのコネクタ嵌合部を有する中継コネクタを主要な特徴とする。
【発明の効果】
【０００５】
本発明では、対向するハーネスの間にセットすることにより、対向するハーネス間の信号の受け渡しを行うコネクタ本体と、コネクタ本体の下部に設けられ、固定板の穴に着脱される弾性を有する係止手段とを備えたことにより、所期の目的を達成することができる。
【発明を実施するための最良の形態】
【０００６】
以下、本発明の実施の形態を図面に従って説明する。
図１は本発明の第１の実施形態に係る中継コネクタの斜視図である。図２（ａ）、（ｂ）は図１に示す中継コネクタの固定解除動作を示す断面図である。図１に示すように、本中継コネクタＡは、コネクタ本体１、コネクタ本体１内に存在し、コネクタ（左）８と嵌合するコネクタ嵌合部（左）２及びコネクタ（右）１０と嵌合するコネクタ嵌合部（右）３、コネクタ本体１の下部に連設されたストッパー部４及びコネクタ本体１を固定する係止頭５及び係止頭５と連結し連結部分に力を加えた時に固定された状態を解除する係止頭ロック解除部６からなる。ストッパー部４、係止頭５、係止頭ロック解除部６は樹脂、金属等の弾性体で一体に形成されている。
この係止頭５を、固定板７(図２)に設けられ係止頭５に対応した形状の穴７ａ内にセットすると、係止頭５及びストッパー部４の間でコネクタ本体１が固定される。またコネクタ（左）８はハーネス（左）９の一部であり、同様にコネクタ（右）１０はハーネス（右）１１の一部である。
コネクタ嵌合部（左）２及びコネクタ嵌合部（右）３はコネクタ本体１内で導通しているため、コネクタ（左）８とコネクタ嵌合部（左）２及びコネクタ（右）１０とコネクタ嵌合部（右）３を嵌合した時、ハーネス（左）９とハーネス（右）１１は導通する。
図２はコネクタ本体１を固定板７に固定した状態で、図１の係止頭５、ストッパー部４、係止頭５に対応した形状の固定部７、及び係止頭ロック解除部６の部分を示す図である。
まず、図２（ａ）は係止頭５及びストッパー部４により（図示されていない）コネクタ本体１を固定板７に固定している状態を示していて、この状態から係止頭ロック解除部６に力Ｆを加えて押して圧縮することにより、係止頭５が固定板７から固定解除されたことを示した図が図２（ｂ）である。（ｂ）の状態で（図示されていない）コネクタ本体１を上方向に持ち上げることにより容易に取り外すことができる。
またこの構成であれば、係止頭５に対応した形状の固定部７、及び穴７ａを特殊な形状にすることなく、従来クランプを固定する時に使用する丸穴のままで中継コネクタＡを容易に取り外すことができる。
本実施形態により、固定部に特殊な形状を用いずにどこにでも中継コネクタＡを固定すること、及び容易に取り外すことが可能になる。
【０００７】
図３は本発明の第２の実施形態に係る中継コネクタの斜視図である。複数のハーネスを一つの中継コネクタで接続できる例を示すものであり、本中継コネクタＡは、コネクタ本体２１、コネクタ本体２１内に存在し、コネクタ（左上）３０と嵌合するコネクタ嵌合部（左上）２２及びコネクタ（左下）３１と嵌合するコネクタ嵌合部（左下）２３及びコネクタ（右上）３４と嵌合するコネクタ嵌合部（右上）２４及びコネクタ（右下）３５と嵌合するコネクタ嵌合部（右下）２５、コネクタ本体１の下部にあるストッパー部２６及びコネクタ本体２１を固定する係止頭２７及び係止頭２７と連結し連結部分に力を加えた時に固定された状態を解除する係止頭ロック解除部２８からなる。
この係止頭２７を係止頭２７に対応した形状の固定部２９（穴２９ａ）にセットすると、係止頭２７及びストッパー部２６の間でコネクタ本体２１が固定される。符号３２、３３、３６、３７はハーネスである。
図４は図３に示すコネクタ本体の内部結線状態を示す図である。コネクタピン３８によりコネクタ嵌合部（左上）２２とコネクタ嵌合部（右上）２４、及びコネクタ嵌合部（左下）２３とコネクタ嵌合部（右下）２５が導通状態になっている。コネクタ本体２１の固定手段は第１の実施形態と同様である。また図４の内部結線状態により各コネクタを嵌合した時に、ハーネス３２とハーネス３６及びハーネス３３とハーネス３７がそれぞれ導通する。
本実施形態により、第１の実施形態の機能に加え、複数のハーネスを一つの中継コネクタＡで接続することが可能になる。
【０００８】
図５は本発明の第３の実施形態に係る中継コネクタの斜視図である。ディジー接続機能を持ち固定可能で取り外し容易な中継コネクタの例を示すものであり、本中継コネクタＡは、コネクタ本体４１、コネクタ本体４１内に存在し、コネクタ（左上）４９と嵌合するコネクタ嵌合部（左上）４２及びコネクタ（左下）５０と嵌合するコネクタ嵌合部（左下）４３及びコネクタ（右）５３と嵌合するコネクタ嵌合部（右）４４、コネクタ本体４１の下部にあるストッパー部４５及びコネクタ本体４１を固定する係止頭４６及び係止頭４６と連結し連結部分に力を加えた時に固定された状態を解除する係止頭ロック解除部４７からなる。
この係止頭４６を係止頭４６に対応した形状の固定部４８（穴４８ａ）にセットすると、係止頭４６及びストッパー部４５の間でコネクタ本体４１が固定される。符号５１、５２、５４はハーネスである。
図６は図５に示すコネクタ本体の内部結線状態を示す図である。コネクタピン５５によりコネクタ嵌合部（右）４４からの信号がコネクタ嵌合部（左上）４２及びコネクタ嵌合部（左下）４３に導通する。コネクタ本体４１の固定手段は第１の実施形態と同様である。また図６の内部結線状態により各コネクタを嵌合した時に、ハーネス５４の信号がハーネス５１及びハーネス５２に導通される。
本実施形態により、第１の実施形態の機能に加え、ディジー接続機能を持つ中継コネクタＡを実現することが可能になる。
【図面の簡単な説明】
【０００９】
【図１】本発明の第１の実施形態に係る中継コネクタの斜視図である。
【図２】図１に示す中継コネクタの固定解除動作を示す図である。
【図３】本発明の第２の実施形態に係る中継コネクタの斜視図である。
【図４】図３に示すコネクタ本体の内部結線状態を示す図である。
【図５】本発明の第３の実施形態に係る中継コネクタの斜視図である。
【図６】図５に示すコネクタ本体の内部結線状態を示す図である。
【符号の説明】
【００１０】
１    コネクタ本体
４    ストッパー部(係止手段構成要素)
５    係止頭(係止手段構成要素)
６    係止頭ロック解除部(係止手段構成要素)
７    固定板
７ａ  穴
【図１】
2005093249.tif 000003
【図２】
2005093249.tif 000004
【図３】
2005093249.tif 000005
【図４】
2005093249.tif 000006
【図５】
2005093249.tif 000007
【図６】
2005093249.tif 000008